(57)【特許請求の範囲】
【請求項１】
長方形状の頁紙片が長辺にて長辺折目線を介して２個連接され且つ短辺にて短辺折目線を介して複数個連接されるとともに一方の端縁の頁紙片の長辺に封緘紙片が連接された封書紙片からなり、前記封書紙片を前記封緘紙片が連接されていない端縁から前記頁紙片を前記短辺折目線にて巻き折りして前記長辺折目線に沿って前記頁紙片間を接着し、巻き折りされた前記封書紙片を前記長辺折目線にて２つ折りし、折り畳まれた前記封書紙片の短辺に沿って前記頁紙片を接着し、前記封緘紙片を折り曲げて対向する頁紙片に接着し、折り畳まれた前記封書紙片の両方の短辺と前記封緘紙片が連接された長辺に沿って開封用ミシン目が形成された構成からなることを特徴とする冊子状に開封できる封書。
【請求項２】
長方形状の頁紙片が長辺にて長辺折目線を介して２個連接され且つ短辺にて短辺折目線を介して複数個連接されるとともに、一方の端縁の頁紙片の長辺に封緘紙片が連接され且つ前記封緘紙片が連接された端縁側の２個の前記頁紙片の短辺に接着紙片が連接された封書紙片からなり、前記封書紙片を前記封緘紙片が連接されていない端縁から前記頁紙片を前記短辺折目線にて巻き折りして前記長辺折目線に沿って前記頁紙片間を接着し、巻き折りされた前記封書紙片を前記長辺折目線にて２つ折りし、折り畳まれた前記封書紙片の一方の短辺にて前記頁紙片を接着するとともに他方の短辺を前記接着紙片間で接着し、前記封緘紙片を折り曲げて対向する前記頁紙片に接着し、折り畳まれた前記封書紙片の両方の短辺と前記封緘紙片が連接された長辺に沿って開封用ミシン目が形成された構成からなることを特徴とする冊子状に開封できる封書。
【発明の詳細な説明】
【０００１】
【発明の属する技術分野】
本発明は開封することにより冊子状となる封書に関する。
【０００２】
【従来の技術】
従来、開封することにより冊子状となる封書としては、封筒用紙片の中央部に周縁に接着部を残した状態で、丁合して側端で接着して綴じられた丁合紙片を載置し、丁合紙片の接着して綴じた側端に沿って封筒用紙片と接着し、丁合紙片の綴た端縁に平行に２つ折りして封筒用紙片の周縁部にて接着するととも、折目を除く３辺において封筒用紙片に開封用ミシン目を形成した構成からなるものが知られている。
【０００３】
しかしながら、この構成の開封して冊子状となる封書は、封筒用紙片の内部に封入する丁合紙片を予め作製しておき、封筒用紙片の中央部に封筒用紙片の端縁にて接着して封書とするものであり、内部に封入する丁合紙片を作製する工程が必要であり、製造工程がきわめて煩雑となるためコストアップになるという欠点がある。
【０００４】
【発明が解決しようとする課題】
本発明は、１枚の封書紙片を所定位置にて折り畳んで周縁を接着し開封用ミシン目を形成することにより簡単な工程で製造できる冊子状に開封できる封書を提供することにある。
【０００５】
【課題を解決するための手段】
長方形状の頁紙片が長辺にて長辺折目線を介して２個連接され且つ短辺にて短辺折目線を介して複数個連接されるとともに一方の端縁の頁紙片の長辺に封緘紙片が連接された封書紙片からなり、前記封書紙片を封緘紙片が連接されていない端縁から頁紙片を短辺折目線にて巻き折りし、巻き折りされた封書紙片を長辺折目線にて２つ折りし、折り畳まれた封書紙片の短辺に沿って頁紙片を接着し、封緘紙片を折り曲げて対向する頁紙片に接着し、折り畳まれた封書紙片の両方の短辺と封緘紙片が連接された長辺に沿って開封用ミシン目が形成された構成とすることにより、開封用ミシン目にて切り裂いて開封することにより頁紙片の長辺折目線に沿って接着して綴じられた冊子状となり、頁紙片を捲りながら頁紙片に印刷された内容を見ることができるのできわめて見やすいとともに、見終わった後で保管するのにも便利である。
【０００６】
長方形状の頁紙片が長辺にて長辺折目線を介して２個連接され且つ短辺にて短辺折目線を介して複数個連接されるとともに、一方の端縁の頁紙片の長辺に封緘紙片が連接され且つ前記封緘紙片が連接された端縁側の２個の頁紙片の短辺に接着紙片が連接された封書紙片からなり、前記封書紙片を封緘紙片が連接されていない端縁から頁紙片を短辺折目線にて巻き折りして長辺折目線に沿って頁紙片間を接着し、巻き折りされた封書紙片を長辺折目線にて２つ折りし、折り畳まれた封書紙片の一方の短辺にて頁紙片を接着するとともに他方の短辺を接着紙片間で接着し、封緘紙片を折り曲げて対向する頁紙片に接着して、折り畳まれた封書紙片の両方の短辺と封緘紙片が連接された長辺に沿って開封用ミシン目が形成された構成とすることにより、開封することにより冊子状となるので、頁紙片を捲りながら頁紙片に印刷された内容を見ることができるので見やすく且つ見終わった後で保管するのにも便利である。また、封書紙片を折り畳んで頁紙片の一方の短辺を接着する際に、接着紙片間で接着して封止することにより接着剤の塗布工程を削減できるので製造工程を簡略化することが可能となる。
【０００７】
【発明の実施の形態】
以下、図面を引用して本発明の実施の形態を説明する。
図１は本発明の第１実施形態の平面図、図２は図１におけるＩ−Ｉ断面図、図３は図１におけるII−II断面図、図４は第１実施形態の開封した状態の斜視図、図５は第１実施形態の封書紙片を示す平面図、図６は第１実施形態の封書紙片を１回巻き折りした状態の平面図、図７は第１実施形態の封書紙片を巻き折り完了した状態の平面図、図８は第１実施形態の巻き折り完了した封書紙片を長辺折目線にて２つ折りした状態の平面図、図９は第１実施形態の図８に示す状態から封緘紙片を折り曲げて接着した平面図、図１０は本発明の第２実施形態の封書紙片を示す平面図、図１１は図１０におけるII−II断面図、図１２は第２実施形態の封書紙片を示す平面図、図１３は第２実施形態の封書紙片の巻き折り完了した状態の平面図であり、１，1'は封書、2a, 2b, 2cは開封用ミシン目、３は長辺接着部、4a, 4b, 4c, 4dは短辺接着部、５は封緘紙片接着部、6a, 6bは短辺折目線、７は長辺折目線、８は封緘紙片折目線、10，10' は封書紙片、11, 12, 13, 14, 15, 16は頁紙片、17は封緘紙片、18は接着紙片をそれぞれ表す。
【０００８】
本発明の第１実施形態は図１〜図３に示すとおりであって、開封すると図４に示す冊子状となる封書である。第１実施形態の平面形状は、図１に示すとおり、長方形状であって封緘紙片17にて封止された長辺に沿って開封用ミシン目2aが形成されるとともに両側の短辺に沿って開封用ミシン目2bおよび開封用ミシン目2cが形成されている形状である。本発明の冊子状に開封できる封書は郵送用の定型封書として使用されるものであり、長辺は１４０〜２３５ｍｍで短辺は９０〜１２０ｍｍである大きさとされている。
【０００９】
第１実施形態の短辺に平行な断面は、図２に示すとおりであり、封緘紙片17のある上面から順に頁紙片16と頁紙片12と頁紙片14と頁紙片13と頁紙片11と頁紙片15が折り重ねられ、一方の長辺側が封緘紙片17により封止されており他方の長辺側で各頁紙片が折り曲げられて長辺接着部３にて接着され綴じられており、長辺に沿った開封用ミシン目2aは折り曲げられた封緘紙片17にのみ形成されている構成である。開封の際、開封用ミシン目2aに沿って折り曲げられた封緘紙片17を引き裂くだけとなるので引き裂きが容易となる。
【００１０】
第１実施形態の長辺に平行な断面は、図３に示すとおりであり、上面から順に頁紙片16と頁紙片12と頁紙片14と頁紙片13と頁紙片11と頁紙片15が重なり、開封用ミシン目2bのある短辺側は開封用ミシン目2bの外側にて頁紙片13と頁紙片14間が短辺接着部4bにて接着され、開封用ミシン目2cのある短辺側は開封用ミシン目2cの外側にて頁紙片12と頁紙片16間および頁紙片11と頁紙片15間がそれぞれ短辺接着部4aにて接着されるとともに、頁紙片13と頁紙片14間が短辺接着部4cにて接着されている構成である。
【００１１】
第１実施形態の封書を開封用ミシン目2a, 2b, 2cにて切り取って開封した状態は、図４に示すとおりであり、頁紙片16と頁紙片12と頁紙片14と頁紙片13と頁紙片11と頁紙片15が長辺接着部３により長辺に沿って接着されて綴じられた１２頁の冊子状となる。開封して冊子状となるため各頁紙片に印刷された内容はきわめて見やすく見終わった後の保管にも便利である。
【００１２】
第１実施形態の冊子状に開封できる封書を作製するための封書紙片10は、図５に示すとおりであって、頁紙片11と頁紙片12、頁紙片13と頁紙片14、頁紙片15と頁紙片16がそれぞれ長辺折目線７を介して連接されるとともに短辺折目線6aおよび短辺折目線6bを介して連接され、頁紙片15の長辺には封緘紙片17が連接されており、封緘紙片17には封緘紙片折目線８及び封緘紙片折目線８にて折り曲げた際に重なる位置に２本の開封用ミシン目2aが形成されている形状である。
【００１３】
図５に示す封書紙片10を使用して、頁紙片13と頁紙片14間および頁紙片15と頁紙片16間の長辺折目線７に沿った長辺接着部３に接着剤を塗布して、頁紙片11と頁紙片12を頁紙片13と頁紙片14面に折り重ねて長辺接着部３にて接着して、図６に示す状態とする。図６に示す状態で、頁紙片15と頁紙片16の短辺に沿った短辺接着部4aに接着剤を塗布して、頁紙片11と頁紙片12を頁紙片15と頁紙片16面に折り重ねて長辺接着部３にて接着するとともに短辺接着部4aにより頁紙片11と頁紙片15の短辺および頁紙片12と頁紙片16の短辺を接着して巻き折りを完了し、図７に示す状態とする。
【００１４】
図７に示す巻き折り完了した状態から、頁紙片13の両側の短辺に沿った短辺接着部4bおよび短辺接着部4cにそれぞれ接着剤を塗布して、長辺折目線７にて頁紙片14を頁紙片13面に折り重ねて、頁紙片13と頁紙片14の両側の短辺間を短辺接着部4bおよび短辺接着部4cにて接着して、図８に示す状態とする。次いで、図８に示す状態において、封緘紙片17の端縁に沿った封緘紙片接着部５に接着剤を塗布して、封緘紙片17を封緘紙片折目線８にて折り曲げて頁紙片16面に接着して密封して、図９に示す状態とした後に、両側の短辺に沿って短辺接着部4bおよび短辺接着部4aの内側に開封用ミシン目2bおよび開封用ミシン目2cをそれぞれ形成することにより、図１に示す第１実施形態の冊子状に開封できる封書が完成する。なお、第１実施形態においては、封書紙片10の状態で封緘紙片17に封緘紙片折目線８にて折り曲げた際に重なるように２本の開封用ミシン目2aを形成しているが、封書紙片10の状態で封緘紙片17に開封用ミシン目2aを形成せずに、密封された封書が完成した後に、折り曲げられた封緘紙片17に開封用ミシン目2aを形成するようにしてもよい。
【００１５】
本発明の第２実施形態は、図12に示す封書紙片10’を使用して作製される図10〜図11に示す構成である。第２実施形態で使用する封書紙片10’は第１実施形態で使用する封書紙片10における頁紙片15および頁紙片16の短辺に接着紙片18が延設されている以外は基本的な形状は同じである。
【００１６】
第２実施形態の短辺に平行な断面は第１実施形態と同じであって図２に示す構成である。長辺に平行な断面は、図11に示すとおりであり、開封用ミシン目2cの形成されている短辺は開封用ミシン目2cの外側にて接着紙片18が折り重ねられて接着紙片接着部4dにて接着されている構成である。第２実施形態では、第１実施形態のように短辺接着部4aに接着剤を塗布する必要がないとともに、短辺接着部4cに代えて接着紙片18に接着紙片接着部4dを形成するだけでよく、接着剤を塗布する工程を省くことができるので工程の簡略化が可能となるものである。
【００１７】
第２実施形態において、封書紙片10' の巻き折りを完了した状態は、図13に示すとおりであって、頁紙片13と頁紙片14の短辺から接着紙片18が外方に延出した状態となっており、延出した接着紙片18の頁紙片13の短辺に沿った接着紙片接着部4dに接着剤が塗布されものである。
【００１８】
第１、第２実施形態においては、頁紙片11と頁紙片12と頁紙片13と頁紙片14と頁紙片15と頁紙片16の６枚の頁紙片からなる冊子状に開封できる封書について説明したが、短辺折目線により連接する頁紙片を増やすことは可能であり、８枚の頁紙片を有する封書ないしは10枚の頁紙片を有する封書とすることもできる。封書の開封し易さ、製造工程の簡略化の点を考慮すると、実施形態のように６枚の頁紙片からなるものが最も好ましい。
【００１９】
【発明の効果】
長方形状の頁紙片が長辺にて長辺折目線を介して２個連接され且つ短辺にて短辺折目線を介して複数個連接されるとともに一方の端縁の頁紙片の長辺に封緘紙片が連接された封書紙片からなり、前記封書紙片を封緘紙片が連接されていない端縁から頁紙片を短辺折目線にて巻き折りし、巻き折りされた封書紙片を長辺折目線にて２つ折りし、折り畳まれた封書紙片の短辺に沿って頁紙片を接着し、封緘紙片を折り曲げて対向する頁紙片に接着し、折り畳まれた封書紙片の両方の短辺と封緘紙片が連接された長辺に沿って開封用ミシン目が形成された構成とすることにより、開封用ミシン目にて切り裂いて開封することにより頁紙片の長辺折目線に沿って接着して綴じられた冊子状となり、頁紙片を捲りながら頁紙片に印刷された内容を見ることができるのできわめて見やすいとともに、見終わった後で保管するのにも便利である。
【００２０】
長方形状の頁紙片が長辺にて長辺折目線を介して２個連接され且つ短辺にて短辺折目線を介して複数個連接されるとともに、一方の端縁の頁紙片の長辺に封緘紙片が連接され且つ前記封緘紙片が連接された端縁側の２個の頁紙片の短辺に接着紙片が連接された封書紙片からなり、前記封書紙片を封緘紙片が連接されていない端縁から頁紙片を短辺折目線にて巻き折りして長辺折目線に沿って頁紙片間を接着し、巻き折りされた封書紙片を長辺折目線にて２つ折りし、折り畳まれた封書紙片の一方の短辺にて頁紙片を接着するとともに他方の短辺を接着紙片間で接着し、封緘紙片を折り曲げて対向する頁紙片に接着して、折り畳まれた封書紙片の両方の短辺と封緘紙片が連接された長辺に沿って開封用ミシン目が形成された構成とすることにより、開封することにより冊子状となるので、頁紙片を捲りながら頁紙片に印刷された内容を見ることができるので見やすく且つ見終わった後で保管するのにも便利である。また、封書紙片を折り畳んで頁紙片の一方の短辺を接着する際に、接着紙片間で接着して封止することにより接着剤の塗布工程を削減できるので製造工程を簡略化することが可能となる。
【図面の簡単な説明】
【図１】本発明の第１実施形態の平面図。
【図２】図１におけるＩ−Ｉ断面図
【図３】図１におけるII−II断面図。
【図４】第１実施形態の開封した状態の斜視図。
【図５】第１実施形態の封書紙片を示す平面図。
【図６】第１実施形態の封書紙片を１回巻き折りした状態の平面図。
【図７】第１実施形態の封書紙片の巻き折り完了した状態の平面図。
【図８】第１実施形態の巻き折り完了した封書紙片を長辺折目線にて２つ折りした状態の平面図。
【図９】第１実施形態の図８に示す状態から封緘紙片を折り曲げて接着した平面図。
【図１０】本発明の第２実施形態の封書紙片を示す平面図。
【図１１】図１０におけるII−II断面図。
【図１２】第２実施形態の封書紙片を示す平面図。
【図１３】第２実施形態の封書紙片の巻き折り完了した状態の平面図。
【符号の説明】
１，1'  封書
2a, 2b, 2c  開封用ミシン目
３  長辺接着部
4a, 4b, 4c, 4d  短辺接着部
５  封緘紙片接着部
6a, 6b  短辺折目線
７  長辺折目線
８  封緘紙片折目線
10，10'   封書紙片
11, 12, 13, 14, 15, 16  頁紙片
17  封緘紙片
18  接着紙片
【図１】
0004514924.tif 000002
【図２】
0004514924.tif 000003
【図３】
0004514924.tif 000004
【図４】
0004514924.tif 000005
【図５】
0004514924.tif 000006
【図６】
0004514924.tif 000007
【図７】
0004514924.tif 000008
【図８】
0004514924.tif 000009
【図９】
0004514924.tif 000010
【図１０】
0004514924.tif 000011
【図１１】
0004514924.tif 000012
【図１２】
0004514924.tif 000013
【図１３】
0004514924.tif 000014